(57)【特許請求の範囲】
【請求項１】
ＥＴＣ（登録商標）用車載器を搭載した車両が通過する第１のＥＴＣゲートと、前記第１のＥＴＣゲートを通過した後に前記車両が通過する第２のＥＴＣゲートと、前記第１および第２のＥＴＣゲートと通信可能である銀行のサーバと、この銀行のサーバと通信可能である現金自動払出機とを有し、前記車両の運転者に現金の払い出しを行う現金払出システムであって、
前記第１のＥＴＣゲートおよび前記第２のＥＴＣゲートはそれぞれ、前記車両が前記各ゲートの通信可能範囲に入ると、前記車両の前記ＥＴＣ用車載器から前記ＥＴＣ用車載器に挿入されているＥＴＣカードのカード情報を受信すると共に、受信した前記カード情報を前記銀行のサーバに送信するものであり、
このシステムは、
前記銀行のサーバが、
前記ＥＴＣカードのカード情報と、前記ＥＴＣカードの所有者についての前記現金自動払出機による現金の払い出しを行う契約の有無の情報と、前記ＥＴＣカードの所有者が前記銀行内に所有する銀行口座の口座情報と、１回の払出金額とを対応づけて格納している契約マスタと、
前記銀行口座の口座残高を管理する勘定系システムと、
前記第１のＥＴＣゲートから前記ＥＴＣカードのカード情報を受信し、受信した前記カード情報を前記契約マスタに照会して当該カード情報について前記契約の有無を判断する第１の判断手段と、
前記第２のＥＴＣゲートから前記ＥＴＣカードのカード情報を受信し、受信した前記カード情報を前記契約マスタに照会して当該カード情報について前記契約の有無を判断する第２の判断手段と、
前記第１の判断手段および前記第２の判断手段の両方で前記カード情報に対応して前記契約が有ると判断されると、前記契約マスタの前記口座情報に基づき、又は、前記勘定系システムへの問い合わせを行うことにより、前記銀行口座の前記口座残高が前記１回の払出金額以上であるか否かを判断する第３の判断手段と、
前記第３の判断手段により前記口座残高が前記１回の払出金額以上であると判断されると、前記現金自動払出機に前記払出金額の払い出しを指示すると共に、前記勘定系システムに前記払い出し指示に応じた前記銀行口座の口座残高の更新を指示する指示手段と
を有し、
前記現金自動払出機が、
前記指示手段の指示に基づき前記払出金額を前記運転者に払い出す払出手段
を有する
ことを特徴とする現金払出システム。
【請求項２】
請求項１記載の現金払出システムにおいて、
前記銀行のサーバが、
前記ＥＴＣカードの所有者又は前記運転者の所持するコンピュータ端末からの要求に応じて、前記コンピュータ端末の表示装置に前記１回の払出金額の変更希望額の入力画面を表示させる表示手段と、
前記入力画面に入力される前記変更希望額を受信し、受信した変更希望額によって前記契約マスタの１回の払出金額を更新する払出金額更新手段と
をさらに有する
ことを特徴とする現金払出システム。
【請求項３】
請求項１記載の現金払出システムにおいて、
前記銀行のサーバが、
前記ＥＴＣカードの所有者又は前記運転者の所持するコンピュータ端末からの要求に応じて、前記コンピュータ端末の表示装置に、前記現金自動払出機による現金の払い出しを行う契約を変更するための契約変更内容の入力画面を表示させる表示手段と、
前記入力画面に入力される前記契約変更内容を受信し、受信した契約変更内容によって前記契約マスタの前記現金自動払出機による現金の払い出しを行う契約の有無を更新する契約更新手段と
をさらに有する
ことを特徴とする現金払出システム。
【請求項４】
請求項１記載の現金払出システムにおいて、
前記銀行のサーバが、
前記ＥＴＣカードの所有者又は前記運転者の有するコンピュータ端末からの要求に応じて、前記コンピュータ端末の表示装置に前記現金自動払出機による現金の払い出しを行う契約の有無、または、前記１回の払出金額を表示させる表示手段
をさらに有する
ことを特徴とする現金払出システム。
【請求項５】
請求項１記載の現金払出システムにおいて、
前記車両は、前記ＥＴＣ用車載器に接続された表示装置を有し、
このシステムは、
前記銀行のサーバが、前記第１の判断手段で前記カード情報に対応して前記契約があると判断されると、前記契約マスタに格納されている前記１回の払出金額を前記第１のＥＴＣゲート又は前記第２のＥＴＣゲートに送信するサーバ送信手段と、
前記第１又は第２のＥＴＣゲートが、前記サーバ送信手段から受信する前記１回の払出金額を前記表示装置に表示させるために前記ＥＴＣ用車載器に送信するゲート送信手段と
をさらに有する
ことを特徴とする現金払出システム。
【請求項６】
請求項１記載の現金払出システムであって、
前記車両は、前記ＥＴＣ用車載器に接続された表示装置を有し、
このシステムは、
前記銀行のサーバが、前記第１又は第２の判断手段で前記契約が無いと判断された場合、又は、前記第３の判断手段によって前記銀行口座の前記口座残高が前記１回の払出金額以上でないと判断された場合に、その判断結果を前記第１又は第２のＥＴＣゲートに送信するサーバ送信手段と、
前記第１又は第２のＥＴＣゲートが、前記サーバ送信手段から受信する前記判断結果を前記表示装置に表示させるために前記ＥＴＣ用車載器に送信するゲート送信手段と
をさらに有する
ことを特徴とする現金払出システム。
【請求項７】
ＥＴＣ（登録商標）用車載器を搭載した車両が通過する第１のＥＴＣゲートおよび前記第１のＥＴＣゲートを通過した後に前記車両が通過する第２のＥＴＣゲートと通信可能である銀行のサーバと、この銀行のサーバと通信可能である現金自動払出機とを用いて、前記車両の運転者に現金の払い出しを行う現金払出方法であって、
前記第１のＥＴＣゲートおよび前記第２のＥＴＣゲートはそれぞれ、前記車両が前記各ゲートの通信可能範囲に入ると、前記車両の前記ＥＴＣ用車載器から前記ＥＴＣ用車載器に挿入されているＥＴＣカードのカード情報を受信すると共に、受信した前記カード情報を前記銀行のサーバに送信するものであり、
前記銀行のサーバは、前記ＥＴＣカードのカード情報、前記ＥＴＣカードの所有者についての前記現金自動払出機による現金の払い出しを行う契約の有無の情報、前記ＥＴＣカードの所有者が前記銀行内に所有する銀行口座の口座情報、および１回の払出金額を互いに対応づけて格納している契約マスタと、前記銀行口座の口座残高を管理する勘定系システムとを有するものであり、
この方法は、
前記銀行のサーバが、
前記第１のＥＴＣゲートから前記ＥＴＣカードのカード情報を受信し、受信した前記カード情報を前記契約マスタに照会して当該カード情報について前記契約の有無を判断する第１の判断工程と、
前記第２のＥＴＣゲートから前記ＥＴＣカードのカード情報を受信し、受信した前記カード情報を前記契約マスタに照会して当該カード情報について前記契約の有無を判断する第２の判断工程と、
前記第１の判断工程および前記第２の判断工程の両方で前記カード情報に対応して前記契約が有ると判断されると、前記契約マスタの口座情報に基づき、又は、前記勘定系システムへの問い合わせを行うことにより、前記銀行口座の前記口座残高が前記１回の払出金額以上であるか否かを判断する第３の判断工程と、
前記第３の判断工程により前記口座残高が前記１回の払出金額以上であると判断されると、前記現金自動払出機に前記払出金額の払い出しを指示すると共に、前記勘定系システムに前記払い出し指示に応じた前記銀行の口座残高の更新を指示する指示工程と、
を行い、
前記現金自動払出機が、
前記指示工程の指示に基づき前記払出金額を前記運転者に払い出す払出工程
を行う
ことを特徴とする現金払出方法。
【請求項８】
請求項７記載の現金払出方法において、
前記銀行のサーバが、
前記ＥＴＣカードの所有者又は前記運転者の所持するコンピュータ端末からの要求に応じて、前記コンピュータ端末の表示装置に前記１回の払出金額の変更希望額の入力画面を表示させる表示工程と、
前記入力画面に入力される前記変更希望額を受信し、受信した変更希望額によって前記契約マスタの１回の払出金額を更新する払出金額更新工程と
をさらに行う
ことを特徴とする現金払出方法。
【請求項９】
請求項７記載の現金払出方法において、
前記銀行のサーバが、
前記ＥＴＣカードの所有者又は前記運転者の所持するコンピュータ端末からの要求に応じて、前記コンピュータ端末の表示装置に、前記現金自動払出機による現金の払い出しを行う契約を変更するための契約変更内容の入力画面を表示させる表示工程と、
前記入力画面に入力される前記契約変更内容を受信し、受信した契約変更内容によって前記契約マスタの前記現金自動払出機による現金の払い出しを行う契約の有無を更新する契約更新工程と
をさらに有する
ことを特徴とする現金払出方法。
【請求項１０】
請求項７記載の現金払出方法において、
前記銀行のサーバが、前記ＥＴＣカードの所有者又は前記運転者の所持するコンピュータ端末からの要求に応じて、前記コンピュータ端末の表示装置に前記現金自動払出機による現金の払い出しを行う契約の有無、または、前記１回の払出金額を表示させる表示工程をさらに行う
ことを特徴とする現金払出方法。
【請求項１１】
請求項１記載の現金払出方法において、
前記車両は、前記ＥＴＣ用車載器に接続された表示装置を有し、
この方法は、
前記銀行のサーバが、前記第１の判断工程で前記カード情報に対応して前記契約があると判断されると、前記契約マスタに格納されている前記１回の払出金額を前記第１のＥＴＣゲート又は前記第２のＥＴＣゲートに送信するサーバ送信工程と、
前記第１のＥＴＣゲートが、前記サーバ送信工程によって送信された前記１回の払出金額を前記表示装置に表示させるために前記ＥＴＣ用車載器に送信するゲート送信工程と
をさらに有する
ことを特徴とする現金払出方法。
【請求項１２】
請求項１記載の現金払出方法において、
前記車両は、前記ＥＴＣ用車載器に接続された表示装置を有し、
この方法は、
前記銀行のサーバが、前記第１又は第２の判断手段で前記契約が無いと判断された場合、又は、前記第３の判断手段によって前記銀行口座の前記口座残高が前記１回の払出金額以上でないと判断された場合に、その判断結果を前記第１又は第２のＥＴＣゲートに送信するサーバ送信工程と、
前記第１又は第２のＥＴＣゲートが、前記サーバ送信工程から受信する前記判断結果を前記表示装置に表示させるために前記ＥＴＣ用車載器に送信するゲート送信工程と
をさらに有する
ことを特徴とする現金払出方法。
【発明の詳細な説明】
【技術分野】
【０００１】
運転者が車両から降りることなく現金を受け取ることができる現金払出システムおよびその方法に関する。
【背景技術】
【０００２】
現在では、殆どの銀行の店舗に現金自動預払機（以下、ＡＴＭと称する。）が配置されているので、利用者は銀行の業務時間外でも自分の口座から現金を引き出すことができる。また、近年では、コンビニエンスストアの店舗にＡＴＭが設置されるようになってきている。コンビニエンスストアは２４時間営業している所が多く、コンビニエンスストアに配置されるＡＴＭも２４時間稼働しているので、利用者は近くのコンビニエンスストアで２４時間いつでも自分の口座から現金を引き出すことができるようになってきている。
【先行技術文献】
【特許文献】
【０００３】
【特許文献１】特開２００５−０３１７７３号公報
【発明の概要】
【発明が解決しようとする課題】
【０００４】
ところで、車両で前記銀行の店舗やコンビニエンスストアに行き前記ＡＴＭで現金を引き出す場合は、車両を前記銀行の店舗やコンビニエンスストアの駐車場に駐車し、車両を離れる必要がある。
【０００５】
ここで、ＡＴＭの利用者には幼児の母親や高齢者や脚が不自由な方もいる。例えば、幼児の母親がコンビニエンスストアのＡＴＭで現金を引き出すために、幼児を連れてコンビニエンスストアに入りＡＴＭで現金引出作業を行う場合は、幼児を抱えながらＡＴＭでの現金引出作業を行う必要があるが、このような状態でＡＴＭへの銀行カードの挿入、暗証番号や金額の入力、現金の受け取り等を行うのは容易ではない。また、ＡＴＭでの現金引出作業が短時間であることから幼児を車両内に残して母親のみがコンビニエンスストアに入ることも考えられるが、短時間とはいえ幼児を車両内に一人で残すことは好ましいことではない。高齢者や脚が不自由な方の場合は、車両の乗降に手間を要し、車両から降りてコンビニエンスストアに入りＡＴＭで現金引出作業を行うのにかなりの時間を必要とする場合がある。
【０００６】
一方、上記以外の車両の運転者がＡＴＭから現金を引き出す場合でも、コンビニエンスストアや銀行の店舗に車両を駐車する必要がある。このように、ＡＴＭから現金を引き出すために駐車のための時間および車両の乗降のための時間がかかることになるので、急いでいる時にはＡＴＭからの現金引出作業が煩わしいと感じる場合もある。
【０００７】
本発明は、このような課題を解決するためになされたもので、車両の運転者が車両を降りることなく現金を受け取ることができる現金払出システムおよびその方法を提供することにある。
【課題を解決するための手段】
【０００８】
上記目的を達成するため、本発明の主要な観点によれば、ＥＴＣ（登録商標；有料道路の自動料金収受システム）用車載器を搭載した車両が通過する第１のＥＴＣゲートと、前記第１のＥＴＣゲートを通過した後に前記車両が通過する第２のＥＴＣゲートと、前記第１および第２のＥＴＣゲートと通信可能である銀行のサーバと、この銀行のサーバと通信可能である現金自動払出機とを有し、前記車両の運転者に現金の払い出しを行う現金払出システムであって、前記第１のＥＴＣゲートおよび前記第２のＥＴＣゲートはそれぞれ、前記車両が前記各ゲートの通信可能範囲に入ると、前記車両の前記ＥＴＣ用車載器から前記ＥＴＣ用車載器に挿入されているＥＴＣカードのカード情報を受信すると共に、受信した前記カード情報を前記銀行のサーバに送信するものであり、このシステムは、前記銀行のサーバが、前記ＥＴＣカードのカード情報と、前記ＥＴＣカードの所有者についての前記現金自動払出機による現金の払い出しを行う契約の有無の情報と、前記ＥＴＣカードの所有者が前記銀行内に所有する銀行口座の口座情報と、１回の払出金額とを対応づけて格納している契約マスタと、前記銀行口座の口座残高を管理する勘定系システムと、前記第１のＥＴＣゲートから前記ＥＴＣカードのカード情報を受信し、受信した前記カード情報を前記契約マスタに照会して当該カード情報について前記契約の有無を判断する第１の判断手段と、前記第２のＥＴＣゲートから前記ＥＴＣカードのカード情報を受信し、受信した前記カード情報を前記契約マスタに照会して当該カード情報について前記契約の有無を判断する第２の判断手段と、前記第１の判断手段および前記第２の判断手段の両方で前記カード情報に対応して前記契約が有ると判断されると、前記契約マスタの前記口座情報に基づき、又は、前記勘定系システムへの問い合わせを行うことにより、前記銀行口座の前記口座残高が前記１回の払出金額以上であるか否かを判断する第３の判断手段と、前記第３の判断手段により前記口座残高が前記１回の払出金額以上であると判断されると、前記現金自動払出機に前記払出金額の払い出しを指示すると共に、前記勘定系システムに前記払い出し指示に応じた前記銀行口座の口座残高の更新を指示する指示手段とを有し、前記現金自動払出機が、前記指示手段の指示に基づき前記払出金額を前記運転者に払い出す払出手段を有することを特徴とする現金払出システムが提供される。
【０００９】
また、本発明の他の主要な観点によれば、ＥＴＣ用車載器を搭載した車両が通過する第１のＥＴＣゲートおよび前記第１のＥＴＣゲートを通過した後に前記車両が通過する第２のＥＴＣゲートと通信可能である銀行のサーバと、この銀行のサーバと通信可能である現金自動払出機とを用いて、前記車両の運転者に現金の払い出しを行う現金払出方法であって、前記第１のＥＴＣゲートおよび前記第２のＥＴＣゲートはそれぞれ、前記車両が前記各ゲートの通信可能範囲に入ると、前記車両の前記ＥＴＣ用車載器から前記ＥＴＣ用車載器に挿入されているＥＴＣカードのカード情報を受信すると共に、受信した前記カード情報を前記銀行のサーバに送信するものであり、前記銀行のサーバは、前記ＥＴＣカードのカード情報、前記ＥＴＣカードの所有者についての前記現金自動払出機による現金の払い出しを行う契約の有無の情報、前記ＥＴＣカードの所有者が前記銀行内に所有する銀行口座の口座情報、および１回の払出金額を互いに対応づけて格納している契約マスタと、前記銀行口座の口座残高を管理する勘定系システムとを有するものであり、この方法は、前記銀行のサーバが、前記第１のＥＴＣゲートから前記ＥＴＣカードのカード情報を受信し、受信した前記カード情報を前記契約マスタに照会して当該カード情報について前記契約の有無を判断する第１の判断工程と、前記第２のＥＴＣゲートから前記ＥＴＣカードのカード情報を受信し、受信した前記カード情報を前記契約マスタに照会して当該カード情報について前記契約の有無を判断する第２の判断工程と、前記第１の判断工程および前記第２の判断工程の両方で前記カード情報に対応して前記契約が有ると判断されると、前記契約マスタの口座情報に基づき、又は、前記勘定系システムへの問い合わせを行うことにより、前記銀行口座の前記口座残高が前記１回の払出金額以上であるか否かを判断する第３の判断工程と、前記第３の判断工程により前記口座残高が前記１回の払出金額以上であると判断されると、前記現金自動払出機に前記払出金額の払い出しを指示すると共に、前記勘定系システムに前記払い出し指示に応じた前記銀行の口座残高の更新を指示する指示工程と、を行い、前記現金自動払出機が、前記指示工程の指示に基づき前記払出金額を前記運転者に払い出す払出工程を行うことを特徴とする現金払出方法が提供される。
【００１０】
このように、本発明では、銀行のサーバが、車両のＥＴＣ用車載器に挿入されているＥＴＣカードのカード情報と、そのＥＴＣカードの所有者についての現金自動払出機による現金の払い出しを行う契約の有無の情報と、前記ＥＴＣカードの所有者が前記銀行内に所有する銀行口座の口座情報とを対応づけて格納している契約マスタを有する。また、第１のＥＴＣゲートにおける第１の判断と第２のＥＴＣゲートにおける第２の判断の両方において受信したカード情報について契約が有ると判断されると、そのカード情報に対応した銀行口座の口座残高を確認する第３の判断を行う。そして、第３の判断において口座残高があると判断されると、銀行サーバが現金自動払出機に現金の払い出しを指示し、その指示に基づき現金自動払出機が運転者に現金を払い出す。これにより、前記車両の運転者は車両から降りることなく、前記銀行口座の現金を現金自動払出機から受け取ることができる。
【００１１】
また、本発明では、前記契約マスタにはカード情報と対応づけられて１回の払出金額が格納されており、第３の判断において口座残高が前記１回の払出金額以上であると判断されると、銀行サーバが現金自動払出機にその１回の払出金額の払い出しを指示する。このように、前記車両の運転者は、銀行カードを現金自動払出機等に挿入することなく、また、現金自動払出機への引出金額の入力等の入力の手間をかけることなく、現金自動払出機から現金を受け取ることができる。
【００１２】
また、本発明の実施形態によれば、前記現金払出システムにおいて、前記銀行のサーバが、前記ＥＴＣカードの所有者又は前記運転者の所持するコンピュータ端末からの要求に応じて、前記コンピュータ端末の表示装置に前記１回の払出金額の変更希望額の入力画面を表示させる表示手段と、前記入力画面に入力される前記変更希望額を受信し、受信した変更希望額によって前記契約マスタの１回の払出金額を更新する払出金額更新手段とをさらに有することを特徴とする現金払出システムが提供される。
【００１３】
また、本発明の他の実施形態によれば、前記現金払出システムにおいて、前記銀行のサーバが、前記ＥＴＣカードの所有者又は前記運転者の所持するコンピュータ端末からの要求に応じて、前記コンピュータ端末の表示装置に、前記現金自動払出機による現金の払い出しを行う契約を変更するための契約変更内容の入力画面を表示させる表示手段と、前記入力画面に入力される前記契約変更内容を受信し、受信した契約変更内容によって前記契約マスタの前記現金自動払出機による現金の払い出しを行う契約の有無を更新する契約更新手段とをさらに有することを特徴とする現金払出システムが提供される。
【００１４】
また、本発明のさらに他の実施形態によれば、前記現金払出システムにおいて、前記銀行のサーバが、前記ＥＴＣカードの所有者又は前記運転者の有するコンピュータ端末からの要求に応じて、前記コンピュータ端末の表示装置に前記現金自動払出機による現金の払い出しを行う契約の有無、または、前記１回の払出金額を表示させる表示手段をさらに有することを特徴とする現金払出システムが提供される。
【００１５】
また、本発明のさらに他の実施形態によれば、前記現金払出システムにおいて、前記車両は、前記ＥＴＣ用車載器に接続された表示装置を有し、このシステムは、前記銀行のサーバが、前記第１の判断手段で前記カード情報に対応して前記契約があると判断されると、前記契約マスタに格納されている前記１回の払出金額を前記第１のＥＴＣゲート又は前記第２のＥＴＣゲートに送信するサーバ送信手段と、前記第１又は第２のＥＴＣゲートが、前記サーバ送信手段から受信する前記１回の払出金額を前記表示装置に表示させるために前記ＥＴＣ用車載器に送信するゲート送信手段とをさらに有することを特徴とする現金払出システムが提供される。
【００１６】
また、本発明のさらに他の実施形態によれば、前記現金払出システムであって、前記車両は、前記ＥＴＣ用車載器に接続された表示装置を有し、このシステムは、前記銀行のサーバが、前記第１又は第２の判断手段で前記契約が無いと判断された場合、又は、前記第３の判断手段によって前記銀行口座の前記口座残高が前記１回の払出金額以上でないと判断された場合に、その判断結果を前記第１又は第２のＥＴＣゲートに送信するサーバ送信手段と、前記第１又は第２のＥＴＣゲートが、前記サーバ送信手段から受信する前記判断結果を前記表示装置に表示させるために前記ＥＴＣ用車載器に送信するゲート送信手段とをさらに有することを特徴とする現金払出システムが提供される。
【発明の効果】
【００１７】
本発明によれば、車両の運転者は車両を降りることなく現金を受け取ることができ、しかも銀行カードの挿入や引出金額の入力等の入力の手間がかからないので、車両の運転者は銀行口座からの現金の引き出しを短時間で行うことができる。さらに、車両の運転者が幼児の母親、高齢者、脚が不自由な方の場合、これらの者は車両から降りることなく銀行口座から現金を引き出すことができる。このように、本発明は車両の運転者の労力や手間を軽減する上で極めて有利な発明である。
【００１８】
なお、この発明の更なる他の特徴と顕著な効果は次の発明を実施するための最良の形態の項に記載された実施形態及び図面を参照することによって当業者に理解される。
【図面の簡単な説明】
【００１９】
【図１】本発明の一実施形態に係る現金払出システムの概略構成を示す図
【図２】現金払出システムの概略構成斜視図
【図３】契約マスタの例
【図４】サーバ装置の概略構成を示す図
【図５】端末Ａ、サーバ装置およびカード会社のサーバにおける処理を示すフローチャート
【図６】ＥＴＣ車載装置、第１のＥＴＣゲート、第２のＥＴＣゲート、サーバ装置および現金自動払出機における処理を示すフローチャート
【図７】判断データの例
【図８】判断データの例
【発明を実施するための形態】
【００２０】
以下、本発明の一実施形態に係る現金払出システムを図面に基づき説明する。
【００２１】
図１は本発明の一実施形態に係る現金払出システムの概略構成を示す図である。この現金払出システムは、公道等に並行するように設けられた本システム設置用の側道１と、側道１に設けられた第１のＥＴＣゲート１００および第２のＥＴＣゲート２００と、側道１における第２のＥＴＣゲート２００の近傍に設けられた現金自動払出機３００と、銀行Ａに設置されているサーバ装置４００と、銀行Ａに設置されている勘定系システム５００とを有する。サーバ装置４００は第１および第２のゲート１００，２００とインターネット回線や専用回線等の通信回線を介して接続されており、勘定系システム５００とも専用回線を介して接続されている。また、サーバ装置４００はＥＴＣカードを発行しているカード会社のカード会社サーバとインターネット回線や専用回線等の通信回線を介して接続されている。銀行Ａは、現金自動払出機３００を設置した銀行であっても良く、現金自動払出機３００を設置した銀行ではないが現金自動払出機３００によって現金の払い出しを行うことができる銀行であっても良い。なお、周知のファイアウォール、Ｗｅｂサーバなどは図示を省略している。
【００２２】
側道１は公道等と並行するように設けられており、公道を走っている車両が図２の矢印の方向に侵入できるようになっている。側道１の幅方向の両側には縁石２が設けられ、これにより、側道１に侵入した車両は両縁石２，２の間を図１の矢印の方向に進むことになる。側道１の入り口側には第１のＥＴＣゲート１００が設けられ、側道１の出口側には第２のＥＴＣゲート２００が設けられている。これにより、車両は第１のＥＴＣゲート１００を通過した後に第２のＥＴＣゲート２００を通過することになる。
【００２３】
側道１の第１のＥＴＣゲート１００の近傍には第１の遮断機１０が設置されている。第１の遮断機１０には開閉バー１１が設けられ、開閉バー１１が下りている状態では車両が第１の遮断機１０の前を通過することができず、開閉バー１１が上がると車両が第１の遮断機１０の前を通過できるようになる。側道２の第２のＥＴＣゲート２００の近傍にも第２の遮断機２０が設置され、第２の遮断機２０にも開閉バー２１が設けられている。第１の遮断機１０の場合と同様に、開閉バー２１が下りている状態では車両が第２の遮断機２０の前を通過することができず、開閉バー２１が上がると車両が第２の遮断機２０の前を通過できるようになる。
【００２４】
前記現金自動払出機３００は側道１の縁石２，２のうち車両の進行方向右側の縁石２上に設置されている。これにより、車両が右ハンドルである場合は車両の運転者が現金自動払出機３００から払い出された現金を容易に受け取ることができる。尚、車両が左ハンドルであることを想定する場合は、車両の進行方向左側の縁石２上にも現金自動払出機３００を設置することが可能である。現金自動払出機３００は、ルーターやモデム等を有する送受信部３１０と、液晶画面等から成る表示装置３２０と、現金払出部３３０と、レシート出力部３４０とを有する。
【００２５】
車両にはＥＴＣ用車載装置６００が取付けられている。ＥＴＣ用車載器６００は無線通信用のアンテナを有する送受信部６１０を有し、この送受信部６１０は後述する各ＥＴＣゲート１００，２００の送受信部１１０，２１０と無線通信するように構成されている。また、ＥＴＣ用車両装置６００は液晶画面を有する表示装置７００に接続されている。表示装置７００は車両に取付けられたカーナビゲーションシステムやオーディオシステムの表示装置であっても良く、ＥＴＣ用車載器６００専用の表示装置であっても良い。また、ＥＴＣ用車載器６００は、ＥＴＣカードが挿入されるカードリーダ６２０と、表示装置７００に所定の表示を行わせる表示処理部６３０とを有する。
【００２６】
各ＥＴＣゲート１００，２００にはそれぞれ無線通信用のアンテナやモデムやルーター等を有する送受信部１１０，２１０が設けられている。各送受信部１１０，２１０は、車両のＥＴＣ用車載器６００の送受信部６１０が各送受信部１１０，２１０の下方の所定の通信可能範囲に入ると、送受信部６１０と約５．８ＧＨｚの無線周波数帯で通信するように構成されている。送受信する情報の内容は、サーバ装置４００等が行う処理の例（図６参照）に沿って後述する。また、各ＥＴＣゲート１００，２００はそれぞれ、サーバ装置４００から受信する情報をＥＴＣ用車載器６００に送信するゲート送信部１２０，２２０と、ＥＴＣ用車載器６００の送受信部６１０から受信した情報を格納するためのカード情報格納部１３０，２３０とを有する。
【００２７】
図４は本実施形態のサーバ装置４００の概略構成を示す図である。このサーバ装置４００は、ＣＰＵ４１０と、ＲＡＭ４２０と、モデムやルーター等のデータ通信に必要な構成を有する送受信部４３０と、契約マスタ格納部４４０と、プログラム格納部４５０と、ＥＴＣカード情報格納部４６０と、払出処理データ格納部４７０とを有する。契約マスタ格納部４４０は、図３に示すように、銀行Ａにおける口座情報（口座名義、支店番号、預金種目、口座番号、住所や電話番号等の個人情報）と、ＥＴＣカードのカード情報と、現金自動払出機３００による現金の払い出しを行う契約の有無と、１回の払出金額とを対応づけて格納している。
【００２８】
このサーバ装置４００は、プログラム格納部４５０に、コンピュータにそれぞれ所定の動作を行わせる契約者用画面表示処理部４５１、契約処理部４５２、第１の判断処理部４５３、遮断機操作部４５４、判断結果送信処理部４５５、第２の判断処理部４５６、第３の判断処理部４５７、および指示処理部４５８を有する。これらの機能については、第１のＥＴＣゲート１００、第２のＥＴＣゲート２００、サーバ装置４００、現金自動払出機３００等が行う処理の一例（図５および６参照）に沿って以下に説明する。
【００２９】
勘定系システム５００は銀行既存のシステムであり、モデムやルーター等のデータ通信に必要な構成を有する送受信部５１０と、口座データ格納部５２０とを有する。口座データ格納部５２０は口座番号ごとに口座残高や銀行取引の履歴を格納するものであり、銀行の勘定系システムに通常備わっているものである。尚、本実施形態ではサーバ装置４００の構成と勘定系システム５００の構成を別々に記載しているが、サーバ装置４００と勘定系システム５００とを１つの銀行サーバシステム内に設けることも可能である。
【００３０】
続いて、図５を参照しながら、車両の運転者ａが本サービス（現金自動払出機３００で現金を引き出すサービス）の申込を行う時のサーバ装置４００の処理について説明する。尚、本実施形態では、銀行Ａのインターネットバンキングの仕組みを使って申込を行う場合について説明する。
【００３１】
先ず、サーバ装置４００の契約者用画面表示処理部４５１によって、運転者ａの所有する端末Ａの表示装置にインターネットバンキングのログインＩＤおよびパスワードを要求する画面が表示され、端末Ａからサーバ装置４００にログインＩＤおよびパスワードが送信されると（ステップＳ１）、これに応答して契約者用画面表示処理部４５１が端末Ａの表示装置にログイン後のインターネットバンキングの契約者用画面を表示させる（ステップＳ２）。ここで、端末ＡはＰＤＡや携帯電話等の携帯端末であってもよく、パーソナルコンピュータであっても良く、その他のコンピュータであっても良い。
【００３２】
ステップＳ２で表示させる契約者用画面内には現金自動払出機３００で現金を引き出すサービスの申込みのためのボタンが配置されており、端末Ａにおいてそのボタンが操作されると、端末Ａからサーバ装置４００に本サービスの申込要求が送信され（ステップＳ３）、これに応じてサーバ装置４００の契約処理部４５２により端末Ａの表示装置に本サービスの契約用画面が表示される（ステップＳ４）。この契約用画面では、端末Ａで申込を行おうとしている運転者ａのＥＴＣカードのカード情報（ＥＴＣカードのカード番号、名義の情報等）の入力と、現金自動払出機３００による１回の払出金額の入力が求められる。
【００３３】
続いて、端末ＡにＥＴＣのカード情報等が入力されて送信されると（ステップＳ５）、サーバ装置４００は、契約処理部４５２により、端末Ａから送信される情報を受信してＥＴＣカード情報格納部４６０に格納する（ステップＳ６）。続いて、サーバ装置４００は、契約処理部４５２により、受信したＥＴＣのカード情報を当該ＥＴＣカードの発行元であるカード会社のサーバに送信するとともに、その照会を要求する（ステップＳ７）。ここで、カード会社のサーバは、ＥＴＣカードのカード番号、カード名義等を対応させて格納しているＥＴＣ契約マスタを有する。カード会社のサーバでは、ステップＳ７でサーバ装置４００から送信されるカード情報等がＥＴＣ契約マスタの情報と対応しているか否かを判断し（ステップＳ８）、その判断結果をサーバ装置４００に送信する（ステップＳ９）。尚、サーバ装置４００は前記ステップＳ７と同様の照会を定期的に行い、サーバ装置４００が有する前記カード情報とカード会社のＥＴＣ契約マスタの情報とが一致していることを継続的に確認する。
【００３４】
続いて、サーバ装置４００は、契約処理部４５２により、ステップＳ８において対応していると判断されている場合は、運転者ａの情報を図３に示すような契約マスタを格納する（ステップＳ１０）。ステップＳ１０では、運転者ａが銀行Ａに有する口座の情報と、ステップＳ６で端末Ａから受信した情報とを対応させて格納する。尚、ステップＳ８において対応していると判断されない場合は、ステップＳ１０では何も行わない。
【００３５】
続いて、サーバ装置４００は、契約処理部４５２により、ステップ１０で契約マスタに運転者ａの情報を格納した場合は契約が完了したことを端末Ａに送信し、ステップＳ１０で何も行われなかった場合は契約ができかったことを端末Ａに送信する（ステップＳ１１）。ステップＳ１１で契約ができなかったことを送信する場合は、その理由も併せて送信することが可能である。
【００３６】
このように、ステップＳ１〜Ｓ１１を行うことにより、運転者ａは現金自動払出機３００で現金を引き出すサービスの契約を行うことができる。尚、本サービスの申込は、ステップＳ５で送信される内容を銀行Ａに郵送することによっても行うことが可能である。
【００３７】
また、運転者ａは端末Ａやその他の端末から前記契約者用画面にログインし、前記契約の内容を変更することができる。例えば、前記契約者用画面に契約内容の変更を要求するボタンを配置し、その要求が端末Ａからサーバ装置３００に送信されると（ステップＳ１２）、サーバ装置３００の契約処理部４５２が端末Ａの表示装置に契約の変更内容入力画面を表示させる（ステップＳ１３）。ここに運転者ａが例えば１回の払出金額や契約の中止や再開等の変更内容を入力し送信すると（ステップＳ１４）、サーバ装置３００は契約処理部４５２によって契約マスタの内容を更新し、（ステップＳ１５）、契約マスタが更新されたことを端末Ａに送信する（ステップＳ１６）。このように、運転者ａはいつでも契約内容を更新することが可能である。
【００３８】
続いて、図６を参照しながら、車両の運転者ａが本サービス（現金自動払出機３００で現金を引き出すサービス）を利用する時の第１のＥＴＣゲート１００、第２のＥＴＣゲート２００、サーバ装置４００および現金自動払出機３００の処理について説明する。
【００３９】
先ず、運転者ａが運転する車両が公道から側道１に入り、その車両のＥＴＣ用車載器６００の送受信部６１０が第１のＥＴＣゲート１００の通信可能範囲に入ると、車載器６００から第１のＥＴＣゲート１００にＥＴＣ用車載器６００に挿入されているＥＴＣカードのカード情報が送信される（ステップＳ２１）。また、第１のＥＴＣゲート１００は、ＥＴＣ用車載器６００から送信されるカード情報を受信すると共に、そのカード情報をカード情報格納部１３０に格納する（ステップＳ２２）。
【００４０】
続いて、第１のＥＴＣゲート１００は受信したカード情報をサーバ装置４００に送信し（ステップＳ２３）、サーバ装置４００は、第１の判断処理部４５３によって、第１のＥＴＣゲート１００から受信するカード情報を契約マスタに照会し、当該カード情報について前記契約の有無を判断する第１の判断処理を行う（ステップＳ２４）。この時、サーバ装置４００は例えば図７に示すような判断データを作成する。
【００４１】
第１の判断処理において前記契約が有ると判断されると、サーバ装置４００は遮断機操作部４５４により、通常は下りた状態になっている第１の遮断機１０の開閉バー１１を上げる（ステップＳ２５）。なお、開閉バー１１は車両が通り過ぎると下りた状態になる。同時に、サーバ装置４００は、判断結果送信処理部４５５により、当該カード情報に対応する１回の払出金額を第１のＥＴＣゲート１００に送信し（ステップＳ２６）、第１のＥＴＣゲート１００はゲート送信部１２０によりサーバ装置４００から受信した１回の払出金額をＥＴＣ用車載器６００に送信する（ステップＳ２７）。そして、ＥＴＣ用車載器６００は表示処理部６３０により、表示装置７００に第１のＥＴＣゲート１００から受信した１回の払出金額を表示させる（ステップＳ２８）。
【００４２】
一方、第１の判断処理において前記契約が無いと判断されると、サーバ装置４００は、遮断機操作部４５４により、通常は下りた状態になっている第１の遮断機１０の開閉バー１１を上げると共に、通常は下りた状態になっている第２の遮断機２０の開閉バー２１を上げる。同時に、サーバ装置４００は、判断結果送信処理部４５５により、当該ＥＴＣカードについては現金自動払出機３００で現金を引き出すサービスの契約が無いことを第１のＥＴＣゲート１００に送信し、第１のＥＴＣゲート１００はゲート送信部１２０によりサーバ装置４００から受信した前記情報（契約が無いこと）をＥＴＣ用車載器６００に送信する。そして、ＥＴＣ用車載器６００は表示処理部６３０により、表示装置７００に第１のＥＴＣゲート１００から受信した前記情報を表示させる。これにより、運転者ａは、契約が無いことを知ると共に、側道１を通り抜けることができる。
【００４３】
ステップＳ２８の後、車両が前方に進んで第２の遮断機２０の開閉バー２１の前まで行くと、車両のＥＴＣ用車載器６００の送受信部６１０が第２のＥＴＣゲート２００の通信可能範囲に入り、車載器６００から第２のＥＴＣゲート２００にＥＴＣ用車載器６００に挿入されているＥＴＣカードのカード情報が送信される（ステップＳ２９）。また、第２のＥＴＣゲート２００は、車載器６００から送信されるカード情報を受信すると共に、そのカード情報をカード情報格納部２３０に格納する（ステップＳ３０）。なお、この時、車両の運転席の横に現金自動払出機３００がきているのが望ましい。
【００４４】
続いて、第２のＥＴＣゲート２００は受信したカード情報をサーバ装置４００に送信し（ステップＳ３１）、サーバ装置４００は、第２の判断処理部４５６によって、第２のＥＴＣゲート２００から受信するカード情報を契約マスタに照会し、当該カード情報について前記契約の有無を判断する第２の判断処理を行う（ステップＳ３２）。この時、サーバ装置４００は、図７のような判断データに第２の判断処理結果を追加して図８に示すような判断データを作成する。
【００４５】
続いて、サーバ装置４００は、第３の判断処理部４５７により、図８のデータで第１および第２の判断処理の両方で前記カード情報について前記契約が有ると判断されると、勘定系システム６００に問い合わせることにより、運転者ａの口座の口座残高が前記１回の払出金額以上であるか否かを判断する第３の判断処理を行う（ステップＳ３３）。
【００４６】
第３の判断処理において口座残高が前記１回の払出金額以上であると判断されると、サーバ装置４００は、指示処理部４５８により、現金自動払出機３００に前記１回の払出金額の払い出しを指示し（ステップＳ３４）、また、勘定系システム６００に前記１回の払出金額の払い出し指示に応じた運転者ａの口座残高の更新を指示する口座データ更新処理を行う（ステップＳ３５）。また、現金自動払出機３００は、前記払出指示に基づき、現金払出部３３０から前記払出金額を運転者ａに払い出すと共に、レシート出力部によって取引結果を印刷し出力する現金払出処理を行う（ステップＳ３６）。その後、サーバ装置４００は、遮断機操作部４５４により、通常は下りた状態になっている第２の遮断機２０の開閉バー２１を上げる（ステップＳ３７）。なお、開閉バー２１は車両が通り過ぎると下りた状態になる。
【００４７】
一方、第３の判断処理において口座残高が前記１回の払出金額未満であると判断されると、サーバ装置４００は、遮断機操作部４５４により、通常は下りた状態になっている第２の遮断機２０の開閉バー２１を上げる。同時に、サーバ装置４００は、判断結果送信処理部４５５により、口座残高が前記１回の払出金額未満であることを第２のＥＴＣゲート２００に送信し、第２のＥＴＣゲート２００はゲート送信部２２０によりサーバ装置４００から受信した前記情報（口座残高が不足していること）をＥＴＣ用車載器６００に送信する。そして、ＥＴＣ用車載器６００は表示処理部６３０により、表示装置７００に第２のＥＴＣゲート２００から受信した前記情報を表示させる。これにより、運転者ａは、口座残高が不足していることを知ると共に、側道１を通り抜けることができる。
【００４８】
このように、本実施形態では、銀行Ａのサーバ装置４００が、車両のＥＴＣ用車載器６００に挿入されているＥＴＣカードのカード情報と、そのＥＴＣカードの所有者である運転者ａについての現金自動払出機３００による現金の払い出しを行う契約の有無の情報と、運転者ａが銀行Ａ内に所有する口座の口座情報とを対応づけて格納している契約マスタを有する。また、第１のＥＴＣゲート１００における第１の判断処理と第２のＥＴＣゲート２００における第２の判断処理の両方において受信したカード情報について契約が有ると判断されると、そのカード情報に対応した銀行口座の口座残高を確認する第３の判断処理を行う。そして、第３の判断処理において口座残高があると判断されると、サーバ装置４００が現金自動払出機３００に現金の払い出しを指示し、その指示に基づき現金自動払出機３００が運転者ａに現金を払い出す。これにより、前記車両の運転者ａは車両から降りることなく、銀行口座の現金を現金自動払出機３００から受け取ることができる。
【００４９】
また、本実施形態では、前記契約マスタにはカード情報と対応づけられて１回の払出金額が格納されており、第３の判断処理において口座残高が前記１回の払出金額以上であると判断されると、サーバ装置４００が現金自動払出機３００にその１回の払出金額の払い出しを指示する。このように、前記車両の運転者ａは、銀行カードを現金自動払出機３００等に挿入することなく、また、現金自動払出機３００への引出金額の入力等の入力の手間をかけることなく、現金自動払出機３００から現金を受け取ることができる。
【００５０】
このように、車両の運転者ａは車両を降りることなく現金を受け取ることができ、しかも銀行カードの挿入や引出金額の入力等の入力の手間がかからないので、車両の運転者ａは銀行口座からの現金の引き出しを短時間で行うことができる。さらに、車両の運転者ａが幼児の母親、高齢者、脚が不自由な方の場合、これらの者は車両から降りることなく銀行口座から現金を引き出すことができる。このように、本実施形態は車両の運転者ａの労力や手間を軽減する上で極めて有利な発明である。
【００５１】
また、本実施形態では、サーバ装置４００が、運転者ａ（カードの所有者でもある）の所持する端末Ａからの要求に応じて、端末Ａの表示装置に前記１回の払出金額の変更希望額の入力画面を表示させるようになっている。また、サーバ装置４００は、前記入力画面に入力される前記変更希望額を受信し、受信した変更希望額によって前記契約マスタの１回の払出金額を更新する。このように、側道１に入る直前等に端末Ａを使って１回の払出金額を変更することができるので、運転者ａは銀行口座からの現金の引き出しを効率良く行うことができる。
【００５２】
また、本実施形態では、サーバ装置４００が、運転者ａ（カードの所有者でもある）の所持する端末Ａからの要求に応じて、端末Ａの表示装置に現金自動払出機３００による現金の払い出しを行う契約を変更するための契約変更内容の入力画面を表示させるようになっている。また、サーバ装置４００は、前記入力画面に入力される前記契約変更内容を受信し、受信した契約変更内容によって前記契約マスタの前記現金自動払出機による現金の払い出しを行う契約の有無を更新するようになっている。このように、側道１に入る直前等に端末Ａを使って契約内容を変更することができるので、運転者ａは銀行口座からの現金の引き出しを効率良く行うことができる。
【００５３】
また、本実施形態では、サーバ装置４００が、第１の判断処理でカード情報に対応して前記契約があると判断されると、前記契約マスタに格納されている前記１回の払出金額を第１のＥＴＣゲート１００に送信するようになっている。また、第１のＥＴＣゲート１００が、サーバ装置４００から受信する前記１回の払出金額を表示装置７００に表示させるためにＥＴＣ用車載器６００に送信するようになっている。このように、第１のＥＴＣゲート１００の認証の時点で運転者ａは１回の払出金額を確認することができる。このため、現金自動払出機３００の所で直接に払出金額を入力しない本システムにおいても、運転者ａは引き出される金額に不安を覚えることがない。
【００５４】
また、本実施形態では、サーバ装置４００が、第３の判断処理によって銀行口座の口座残高が前記１回の払出金額以上でないと判断された場合に、その判断結果を前記は第２のＥＴＣゲート２００に送信するようになっている。また、第２のＥＴＣゲート２００が、サーバ装置４００から受信する前記判断結果を表示装置７００に表示させるためにＥＴＣ用車載器６００に送信するようになっている。このように、運転者ａは口座残高が不足しているために現金の引き出しができないことを知ることができ、本システムにおける取引を円滑に行う上で極めて有利である。
【００５５】
尚、本実施形態において、サーバ装置４００の契約者用画面表示処理部４５１によって、運転者ａの端末に前記現金自動払出機３００による現金の払い出しを行う契約の有無や、前記１回の払出金額を表示させることが可能である。この場合、運転者ａは端末Ａを用いて側道１に入る前に契約の有無や１回の払出金額を確認することができるので、本システムにおける取引を円滑に行う上で極めて有利である。
【００５６】
尚、本実施形態では、各ＥＴＣゲート１００，２００としてアーチ型のものを示したが、ＥＴＣ用車載器６００と無線通信する送受信部１１０，１２０が設けられたものであれば、どのような形状のものでも本実施形態のＥＴＣ１００，２００として用いることが可能である。
【００５７】
尚、本実施形態では、第１のＥＴＣゲート１００、第２のＥＴＣゲート２００および現金自動払出機３００とサーバ装置４００との間で直接にカード情報等の送受信を行うものを示した。これに対し、第１のＥＴＣゲート１００、第２のＥＴＣゲート２００および現金自動払出機３００とサーバ装置４００との間に他の銀行のサーバや統合ＡＴＭシステム等が介在する場合でも、第１のＥＴＣゲート１００、第２のＥＴＣゲート２００および現金自動払出機３００とサーバ装置４００とが通信可能であり、カード情報などを送受信できるのであれば、前述と同じ効果を奏する。
【００５８】
尚、本実施形態では、ステップＳ３３において、勘定系システム６００に問い合わせることにより、運転者ａの口座の口座残高が前記１回の払出金額以上であるか否かを判断している。これに対し、図３に示されるような契約マスタに口座残高を格納しておく場合は、運転者ａの口座の口座残高が前記１回の払出金額以上であるか否かを契約マスタに基づいて判断することが可能となる。
【００５９】
尚、この発明は上記一実施形態に限定されるものではなく、発明の要旨を変更しない範囲で種々変形可能である。
【符号の説明】
【００６０】
１…側道、２…縁石、１０…第１の遮断機、２０…第２の遮断機、１００…第１のＥＴＣゲート、１１０…送受信機、２００…第２のＥＴＣゲート、２１０…送受信機、３００…現金自動払出機、４００…サーバ装置、４４０…契約マスタ格納部、４５３…第１の判断処理部、４５６…第２の判断処理部、４５７…第３の判断処理部、４５８…指示部、５００…勘定系システム、５２０…口座データ格納部、６００…ＥＴＣ用車載器、６１０…送受信部、６２０…カードリーダ、７００…表示装置。
【図１】
0005292448.tif 000002
【図２】
0005292448.tif 000003
【図３】
0005292448.tif 000004
【図４】
0005292448.tif 000005
【図５】
0005292448.tif 000006
【図６】
0005292448.tif 000007
【図７】
0005292448.tif 000008
【図８】
0005292448.tif 000009